(57)【要約】【課題】  キャンペーンの実施にかかる費用が低減でき、且つキャンペーンに応募するときの手間が十分に低減できるキャンペーン応募処理プログラムを提供する。【解決手段】  キャンペーン応募処理システムでは、顧客が店舗でキャンペーンの対象商品を購入すると、このキャンペーンの対象商品の応募券データがＰＯＳ端末装置２から顧客の携帯電話３に近距離無線通信で送信される。顧客の携帯電話３は、ＰＯＳ端末装置２から送信されてきた応募券データを蓄積的に記憶する。そして、携帯電話３は、所定のタイミングで本体に記憶している応募券データを検索し、応募可能なキャンペーンがあるかどうかを判定し、応募可能なキャンペーンがあればその旨を報知する。また、携帯電話３は、顧客によりキャンペーンの応募にかかる入力操作が行われると、本体に記憶している個人情報、および応募券データを、応募サイト１に送信し、キャンペーンに応募する。【選択図】  図１
2005309620.tif 000002
【特許請求の範囲】
【請求項１】
近距離無線通信により送信されてきた応募サイトのアドレス、および応募条件を含む応募券データを第１の通信部で受信する第１のステップと、
前記第１のステップで受信した応募券データを記憶部に記憶する第２のステップと、
所定のタイミングで、前記記憶部が記憶している応募券データを検索し、応募条件を満足する種類の応募券データがあるかどうかを判定する第３のステップと、
前記第３のステップで応募条件を満足すると判定された種類の応募券データについて、第２の通信手段を用いて該応募券データに含まれている応募サイトのアドレスにアクセスし、応募手続にかかるデータ通信を行う第４のステップと、を携帯端末のコンピュータに実行させるキャンペーン応募処理プログラム。
【請求項２】
前記所定のタイミングは、前記第２のステップが前記第１のステップで受信した応募券データを記憶部に記憶したときである請求項１に記載のキャンペーン応募処理プログラム。
【請求項３】
前記第３のステップが応募条件を満足する種類の応募券データがあると判断したとき、応募条件を満足する種類の応募券データがあることを報知する第５のステップを備えた請求項１または２に記載のキャンペーン応募処理プログラム。
【請求項４】
前記第４のステップが応募手続にかかるデータ通信を完了したときに、応募済データを作成し、前記記憶部に記憶する第６のステップを備えた請求項１〜３のいずれかに記載のキャンペーン応募処理プログラム。
【請求項５】
前記第４のステップが応募手続にかかるデータ通信を完了したときに、この応募手続に使用した応募券データを前記記憶部から削除する第７のステップを備えた請求項１〜４のいずれかに記載のキャンペーン応募処理プログラム。
【請求項６】
前記記憶部に記憶している応募券データの種類を表示部に一覧表示する第８のステップを備え、
前記第８のステップは、応募条件を満足する応募券データと、応募条件を満足しない応募券データと、を区別して前記表示部に表示する請求項１〜５に記載のキャンペーン応募処理プログラム。
【請求項７】
前記第８のステップは、応募条件を満足しない種類の応募券データについて、応募条件を満足するために必要な条件を表示する請求項６に記載のキャンペーン応募処理プログラム。
【請求項８】
近距離無線通信により送信されてきた応募サイトのアドレス、および応募条件を含む応募券データを受信する第１の通信手段と、
前記第１の通信手段が受信した応募券データを記憶する記憶手段と、
所定のタイミングで、前記記憶手段が記憶している応募券データを検索し、応募条件を満足する応募券データがあるかどうかを判定する判定手段と、
前記判定手段が応募条件を満足すると判定した応募券データに含まれている応募サイトのアドレスにアクセスし、応募手続にかかるデータ通信を行う第２の通手段と、を備えた携帯端末。
【請求項９】
取引する商品を登録する商品登録手段と、
前記商品登録手段により登録された商品が、キャンペーン対象の商品であるかどうかを判定する判定手段と、
前記判定手段がキャンペーン対象の商品であると判定した場合に、この商品について応募サイトのアドレス、および応募条件を含む応募券データを取得する応募券データ取得手段と、
前記応募券データ取得手段により取得した前記応募券データを近距離無線通信により送信する応募券データ送信手段と、を備えた取引処理装置。
【請求項１０】
取引する商品を登録する商品登録手段と、
前記商品登録手段により登録された商品が、キャンペーン対象の商品であるかどうかを判定する判定手段と、
前記判定手段がキャンペーン対象の商品であると判定した場合に、この商品について応募サイトのアドレス、および応募条件を含む応募券データを取得する応募券データ取得手段と、
前記応募券データ取得手段により取得した前記応募券データを近距離無線通信により送信する応募券データ送信手段と、を備えた取引処理装置、および
前記取引処理装置から近距離無線通信により送信されてきた応募サイトのアドレス、および応募条件を含む応募券データを受信する第１の通信手段と、
前記第１の通信手段が受信した応募券データを記憶する記憶手段と、
所定のタイミングで、前記記憶手段が記憶している応募券データを検索し、応募条件を満足する応募券データがあるかどうかを判定する判定手段と、
前記判定手段が応募条件を満足すると判定した応募券データに含まれている応募サイトのアドレスにアクセスし、応募手続にかかるデータ通信を行う第２の通手段と、を備えた携帯端末と、有するキャンペーン応募処理システム。
【請求項１１】
近距離無線通信により送信されてきた応募サイトのアドレス、および応募条件を含む応募券データを第１の通信部で受信し、ここで受信した応募券データを記憶部に記憶するとともに、所定のタイミングで、前記記憶部が記憶している応募券データを検索し、応募条件を満足する応募券データがあるかどうかを判定し、応募条件を満足する応募券データがあれば、第２の通信手段を用いて該応募券データに含まれている応募サイトのアドレスにアクセスし、応募手続にかかるデータ通信を行うキャンペーン応募処理方法。
【発明の詳細な説明】
【技術分野】
【０００１】
この発明は、クローズド懸賞等のキャンペーン対象の商品の購入者に対する応募券データの発行や、キャンペーンへの応募を電子化した、キャンペーン応募処理プログラム、携帯端末、取引処理装置、キャンペーン応募処理システム、およびキャンペーン応募処理方法に関する。
【背景技術】
【０００２】
従来より、商品を製造、販売しているメーカにより、商品の販売促進を目的としたキャンペーンが実施されている。従来実施されているキャンペーンの多くは、商品を購入した人（以下、購入者と言う。）に応募券を与えるクローズド懸賞である。クローズド懸賞によるキャンペーンでは、キャンペーンの対象商品に応募券を貼付して販売し、このキャンペーン対象商品の購入者が商品から応募券を剥がして収集する。購入者は、キャンペーンに応募するのに必要な枚数の応募券を収集すると、収集した応募券をキャンペーンを実施しているメーカが予め発行している応募用紙やハガキ等に貼り付け、キャンペーン実施しているメーカの事務局等の応募先に郵送する。これにより、購入者はキャンペーンの応募者となる。応募先では、応募用紙やハガキ等が郵送されてきた応募者に対して抽選を行い、当選者に景品等を発送する。
【０００３】
なお、クローズド懸賞では、応募者がキャンペーンの対象商品の購入者、またはその関係者であることの確認に応募券を利用している。
【０００４】
ところで、クローズド懸賞を実施する場合、メーカ側では当選者に発送する景品にかかるコストだけでなく、キャンペーンの対象商品に貼付する応募券や応募用紙の製造コスト、キャンペーンの対象商品に対する応募券の貼付作業、応募先に郵送されてきた応募用紙やハガキ等の仕分け作業、さらには当選者を抽選する抽選作業等にかかる人件費等がかかり、多大なコストが必要である。一方、購入者は、キャンペーンに応募するには、商品に貼られている応募券を収集し、収集した応募券を応募用紙やハガキ等に貼り付け、さらに応募券を貼り付けた応募用紙に住所や氏名等の必要事項を記入してポストに投函するという、多大な手間をかけなければならず、この手間を嫌ってキャンペーンに応募しない購入者も多い。
【０００５】
そこで、クローズド懸賞等のキャンペーンの実施にかかるメーカ側のコストを抑え、且つ購入者におけるキャンペーンの応募にかかる手間を低減する技術が特許文献１、２等で提案されている。特許文献１は、携帯電話に組み込まれた電子マネーで自動販売機から商品を購入した購入者の情報（携帯電話の電話番号等）、および購入した商品の情報等をセンタに送信し（携帯電話、および自動販売機が送信する。）、センタにおいて自動販売機が販売した商品がキャンペーンの対象商品であれば、購入者をキャンペーンの応募者として自動的に登録するシステムが記載されている。このシステムでは、自動販売機から購入した商品の決済を、携帯電話に組み込まれている電子マネーで行う。また、特許文献２は、ＰＯＳ端末装置等の取引処理装置が、取引する商品にキャンペーン対象の商品が含まれていれば、キャンペーンの対象商品に与えたユニークＩＤを精算時に発行するレシートに印字し、このレシートに印字されているユニークＩＤを購入者が携帯電話等に入力することにより、キャンペーンに応募できるシステムが記載されている。
【０００６】
このように、特許文献１、２等は、従来商品に貼付していた応募券を電子化し（応募券データとし）、この応募券データを送信することにより応募が行える構成であるので、メーカ側では、キャンペーンの対象商品に貼付する応募券や応募用紙の製造、キャンペーンの対象商品に対する応募券の貼付、応募先における応募用紙やハガキ等の仕分け、抽選作業等にかかるコストが発生せず、クローズド懸賞の実施にかかるコストを低減できる。また、購入者はキャンペーン対象の商品の購入時に得た、応募券データを送信するだけで応募できるので、応募にかかる手間が低減される。
【特許文献１】特開２００２−４２２１６号公報
【特許文献２】特開２００２−６３４５６号公報
【発明の開示】
【発明が解決しようとする課題】
【０００７】
しかしながら、特許文献１、２で提案されているものは、実際にこのシステムを利用してキャンペーンを実施した場合に、以下に示す問題がある。
【０００８】
特許文献１は、自動販売機で商品を購入した購入者が携帯電話を操作して購入した全ての商品の情報、および個人情報（携帯電話の電話番号等）を送信する構成である。言い換えれば、購入者はキャンペーンの対象商品にかかる情報だけでなく、対象外の商品にかかる情報、すなわち無駄な情報、を送信しており、通信コストの無駄が多い。
【０００９】
また、特許文献２は、キャンペーンの対象商品の購入者にユニークＩＤを印字したレシートを発行し、購入者が発行されたレシートに印字されているユニークＩＤを携帯電話に入力する構成である。言い換えれば、キャンペーンの対象商品の購入者は、レシートを収集したり、レシートに印字されているユニークＩＤを携帯電話に入力するという操作を行わなければならず、キャンペーンに応募するときの手間が十分に低減されていない。
【００１０】
この発明の目的は、キャンペーンの実施にかかる費用が低減でき、且つキャンペーンに応募するときの手間が十分に低減できるキャンペーン応募処理プログラム、携帯端末、取引処理装置、キャンペーン応募処理システム、およびキャンペーン応募処理方法を提供することにある。
【課題を解決するための手段】
【００１１】
この発明のキャンペーン応募処理プログラムは、上記課題を解決するために以下の構成を備えている。
【００１２】
（１）近距離無線通信により送信されてきた応募サイトのアドレス、および応募条件を含む応募券データを第１の通信部で受信する第１のステップと、
前記第１のステップで受信した応募券データを記憶部に記憶する第２のステップと、
所定のタイミングで、前記記憶部が記憶している応募券データを検索し、応募条件を満足する種類の応募券データがあるかどうかを判定する第３のステップと、
前記第３のステップで応募条件を満足すると判定された種類の応募券データについて、第２の通信手段を用いて該応募券データに含まれている応募サイトのアドレスにアクセスし、応募手続にかかるデータ通信を行う第４のステップと、を携帯端末のコンピュータに実行させる。
【００１３】
このキャンペーン応募処理プログラムにおいては、第１のステップが例えばブルーツース、ＩｒＤＡ等の近距離無線通信により送信されてきた応募サイトのアドレスおよび応募条件を含む応募券データを第１の通信部で受信すると、第２のステップが受信した応募券データを記憶部に記憶するので、第１の通信部で受信した応募券データを記憶部に蓄積的に記憶させることができる。応募券データに含まれている応募条件は、例えば１回の応募に必要な商品の購入個数、このキャンペーンを実施している期間であり、応募サイトは応募するサーバのアドレスである。
【００１４】
また、商品の登録を受け付け、登録した商品について取引を処理するＰＯＳ端末装置等の取引処理装置に、取引処理時にキャンペーン対象商品が登録されていれば、このキャンペーン対象商品の応募券データを近距離無線通信で送信する機能を設けることで、キャンペーン対象の商品を購入した購入者が所有する携帯電話、ＰＤＡ等の携帯端末に人手をかけずに、購入したキャンペーン対象商品の応募券データを蓄積的に記憶させることができる。
【００１５】
また、第３のステップが、所定のタイミングで記憶手段が記憶している応募券データを検索し、応募条件を満足する応募券データがあるかどうかを判定する。応募条件を満足するとは、応募が可能であるという意味であり、例えば１回の応募に必要な商品の購入個数が３個である場合、この商品についての応募券データを記憶部に３つ以上記憶しており、且つキャンペーン期間中であれば応募条件を満足すると判断する。
【００１６】
そして、第３のステップで応募条件を満足すると判断した応募券データがあれば、第４のステップでこの応募券の応募サイトにアクセスして応募手続にかかるデータ通信を第２の通信部で行う。応募サイトのアドレスは、応募券データに含まれている。第２の通信部は、例えば携帯電話網（無線基地局を含む）を介して、インタネット等のネットワーク上の応募サイトにアクセスできる構成であればよい。
【００１７】
したがって、キャンペーンを実施するメーカにおいては、キャンペーンの対象商品に貼付する応募券や応募用紙の製造コスト、キャンペーンの対象商品に対する応募券の貼付作業、応募先に郵送されてきた応募用紙やハガキ等の仕分け作業、さらには当選者を抽選する抽選作業等にかかる人件費等が殆ど発生せず、キャンペーンの実施にかかる費用が大幅に低減される。また、応募サイトに対して無駄な情報を送信したり、キャンペーンの応募者が応募券データを携帯端末に入力する必要もないので、応募する際の手間が十分に低減され、且つ通信コストの無駄も防止できる。
【００１８】
（２）前記所定のタイミングは、前記第２のステップが前記第１のステップで受信した応募券データを記憶部に記憶したときである。
【００１９】
この構成では、携帯端末の所有者が、キャンペーンに応募できる状態になったとき、速やかにそのことを知らせることができる。
【００２０】
（３）前記第３のステップが応募条件を満足する種類の応募券データがあると判断したとき、応募条件を満足する種類の応募券データがあることを報知する第５のステップを備えている。
【００２１】
この構成では、第３のステップが応募条件を満足する応募券データがあると判断したときに、第５のステップがその旨を報知をする。したがって、この携帯端末の所有者に対して、応募可能なキャンペーンがあれば、このキャンペーンへの応募を促すことができる。
【００２２】
（４）前記第４のステップが応募手続にかかるデータ通信を完了したときに、応募済データを作成し、前記記憶部に記憶する第６のステップを備えている。
【００２３】
この構成では、第４のステップで応募手続を行ったときに、第６のステップがその応募にかかる応募済データを記憶部に記憶する。したがって、この応募済データを確認することにより、どのキャンペーンに応募したのか簡単に確認できる。
【００２４】
（５）前記第４のステップが応募手続にかかるデータ通信を完了したときに、この応募手続に使用した応募券データを前記記憶部から削除する第７のステップを備えている。
【００２５】
この構成では、第４のステップで応募手続を行ったときに、第７のステップで応募手続に使用された応募券データが記憶部から削除される。したがって、記憶部に無駄な応募券データがいつまでも残ることがなく、記憶部の記憶領域を有効に使用できる。
【００２６】
（６）前記記憶部に記憶している応募券データの種類を表示部に一覧表示する第９のステップを備え、
前記第８のステップは、応募条件を満足する応募券データと、応募条件を満足しない応募券データと、を区別して前記表示部に表示する。
【００２７】
この構成では、ステップ１０が記憶部に記憶している応募券データの一覧を表示部に表示する、また、このとき応募条件を満足する応募券データと、応募条件を満足しない応募券データと、を区別して表示する。したがって、携帯端末の所有者が応募可能なキャンペーンと、応募できないキャンペーンを簡単に確認できる。
【００２８】
（７）前記第８のステップは、応募条件を満足しない種類の応募券データについて、応募条件を満足するために必要な条件を表示する。
【００２９】
この構成では、応募できないキャンペーンについて、応募条件を満足するために必要な条件、例えばキャンペーンの対象商品をあと何個購入すれば応募できるのか、を携帯端末の所有者に簡単に確認させることができる。
【００３０】
（８）また、この発明の携帯端末装置は、
近距離無線通信により送信されてきた応募サイトのアドレス、および応募条件を含む応募券データを受信する第１の通信手段と、
前記第１の通信手段が受信した応募券データを記憶する記憶手段と、
所定のタイミングで、前記記憶手段が記憶している応募券データを検索し、応募条件を満足する応募券データがあるかどうかを判定する判定手段と、
前記判定手段が応募条件を満足すると判定した応募券データに含まれている応募サイトのアドレスにアクセスし、応募手続にかかるデータ通信を行う第２の通手段と、を備えている。
【００３１】
この構成によれば、上記（１）で説明した効果を奏する。
【００３２】
（９）また、この発明の取引処理装置は、
取引する商品を登録する商品登録手段と、
前記商品登録手段により登録された商品が、キャンペーン対象の商品であるかどうかを判定する判定手段と、
前記判定手段がキャンペーン対象の商品であると判定した場合に、この商品について応募サイトのアドレス、および応募条件を含む応募券データを取得する応募券データ取得手段と、
前記応募券データ取得手段により取得した前記応募券データを近距離無線通信により送信する応募券データ送信手段と、を備えている。
【００３３】
この構成では、取引処理時にキャンペーン対象商品が登録されていれば、このキャンペーン対象商品の応募券データを近距離無線通信で送信する機能を設けたことで、キャンペーン対象の商品を購入した購入者が所有し、上記（１）のキャンペーン応募処理プログラムをインストールした携帯電話、ＰＤＡ等の携帯端末に人手をかけずに、購入したキャンペーン対象商品の応募券データを蓄積的に記憶させることができる。
【００３４】
（１０）また、この発明のキャンペーン応募処理システムは、上記（８）の携帯端末、および（９）の取引処理装置を有するシステムである。
【発明の効果】
【００３５】
この発明によれば、キャンペーンを実施するメーカにおいては、キャンペーンの対象商品に貼付する応募券や応募用紙の製造コスト、キャンペーンの対象商品に対する応募券の貼付作業、応募先に郵送されてきた応募用紙やハガキ等の仕分け作業、さらには当選者を抽選する抽選作業等にかかる人件費等が殆ど発生せず、キャンペーンの実施にかかる費用が大幅に低減される。また、応募サイトに対して無駄な情報を送信したり、キャンペーンの応募者が応募券データを携帯端末に入力する必要もないので、応募する際の手間が十分に低減され、且つ通信コストの無駄も防止できる。
【発明を実施するための最良の形態】
【００３６】
以下、この発明の実施形態であるキャンペーン応募処理システムについて説明する。
【００３７】
図１は、この発明の実施形態であるキャンペーン応募処理システムを示す図である。この実施形態のキャンペーン応募処理システムは、キャンペーンの応募を受け付ける応募サイト１と、キャンペーンの対象商品を販売する店舗のレジに設置されたＰＯＳ端末装置２と、顧客が所有する携帯電話３と、を備えている。応募サイト１は、インタネット等のネットワーク４に接続されており、任意の端末装置とネットワーク４を介してデータ通信可能に構成されている。ＰＯＳ端末装置２は、顧客との間で取引する商品を登録し、登録した商品について取引金額の精算等を含む取引処理を行う。また、詳細については後述するが、実施中のキャンペーンの対象商品を取引するとき、この商品に付与されている応募券データをブルーツースやＩｒＤＡ等の近距離無線通信により送信する機能を有している。携帯電話３は、図示していない携帯電話網（基地局を含む）、ネットワーク４を介して応募サイト１とデータ通信する機能（例えばｉ−ｍｏｄｅ（登録商標））を有している。また、携帯電話３はＰＯＳ端末装置２から応募券データを受信する近距離無線通信機能を有している。
【００３８】
図２は、この応募サイトの主要部の構成を示すブロック図である。応募サイト１は、本体の動作を制御する制御部１１と、任意の端末装置とネットワーク４を介してデータ通信を行う通信部１２と、ネットワーク４を介して送信されてきたキャンペーンの応募データを記憶する応募データ記憶部１３と、を備えている。
【００３９】
図３は、ＰＯＳ端末装置の主要部の構成を示すブロック図である。ＰＯＳ端末装置２は、本体の動作を制御する制御部２１と、商品に付されているバーコードを読み取るバーコードリーダ２２と、ＰＬＵファイルおよびキャンペーンファイルを記憶したセンタ装置（不図示）と通信する通信部２３と、応募券データをブルーツースやＩｒＤＡ等の近距離無線通信により送信する近距離無線通信部２４と、入力操作を行うキーが配置された操作部２５と、取引内容を印字したレシートを発行する印字部２６と、を備えている。商品に付されているバーコードのデータは、周知のようにその商品を識別する識別コードである。
【００４０】
図４は、携帯電話の主要部の構成を示すブロック図である。携帯電話３は、本体の動作を制御する制御部３１と、携帯電話網介して通信する通信部３２と、ＰＯＳ端末装置２から近距離無線通信で送信されてきた応募券データを受信する近距離無線通信部３３と、本体に対して入力操作を行う操作部３４と、本体の状態に応じた画面を表示する表示部３５と、応募券データや、応募したキャンペーンについての応募済データを記憶するキャンペーンデータ記憶部３６とを備えている。携帯電話３には、この発明にかかるキャンペーン応募処理プログラムがインストールされている。
【００４１】
次に、ＰＯＳ端末装置２が携帯電話３へ送信する応募券データについて説明する。応募券データは、図５に示すように、サイトアドレス、キャンペーン名、応募数、有効期限、バーコードデータ、業態コード、企業コード、店舗コード、キャンペーンコード、および店舗通番が含まれている。サイトアドレスは、この応募券データで応募するキャンペーンの応募サイト１のアドレスである。キャンペーン名は、このキャンペーンの名称である。応募数は、この応募券データで応募できる数であり、例えば１回の応募に６個必要である応募券データの応募数は１／６であり、また１回の応募に１個必要である応募券データの応募数は１である。有効期限は、このキャンペーンに応募できる期間である。バーコードデータは、キャンペーンの対象商品に付されているバーコードのデータである。業態コードは、キャンペーンの対象商品を販売している店舗の業態、例えばショッピングセンタ、コンビニエンスストア、を表すものである。企業コードは、キャンペーンの対象商品を販売している店舗の系列を表すものである。店舗コードは、キャンペーンの対象商品を販売した店舗を識別するコードである。また、キャンペーンコードは、応募できる景品の種類を示すコードである。さらに、店舗通番は、キャンペーンの対象商品を取引するときにＰＯＳ端末装置２が採番するユニークなＩＤである。
【００４２】
ＰＬＵファイルは、周知のように商品毎にその商品の識別コードと、その商品の名称と、価格とを対応づけたファイルである。また、キャンペーンファイルはキャンペーンの対象商品毎に図５に示した応募券データを登録したファイルである。但し、店舗通番については空である。ここでは、ＰＬＵファイル、およびキャンペーンファイルを、図示していないセンタ装置に記憶しているとしたが、これらのファイルはＰＯＳ端末装置２に記憶させてもよい。
【００４３】
以下、この実施形態のキャンペーン応募処理システムにおける、応募サイト１、ＰＯＳ端末装置２、および携帯電話３の動作について説明する。
【００４４】
まず、この実施形態のキャンペーン応募処理システムの概要について簡単に説明する。このキャンペーン応募処理システムでは、顧客が店舗でキャンペーンの対象商品を購入すると、このキャンペーンの対象商品の応募券データがＰＯＳ端末装置２から顧客の携帯電話３に近距離無線通信で送信される。顧客の携帯電話３は、ＰＯＳ端末装置２から送信されてきた応募券データを蓄積的に記憶する。そして、携帯電話３は、所定のタイミングで本体に記憶している応募券データを検索し、応募可能なキャンペーンがあるかどうかを判定し、応募可能なキャンペーンがあればその旨を報知する。これにより、携帯電話３の所有者である顧客が、応募可能なキャンペーンがあることを認識する。また、携帯電話３は、顧客によりキャンペーンの応募にかかる入力操作が行われると、本体に記憶している個人情報（所有者の個人情報）、および応募券データを、キャンペーンの応募サイト１に送信する。応募サイト１は、携帯電話３から送信されてきた個人情報、および応募券データを認証し、適正であればキャンペーンの応募を受け付ける。また、携帯電話３は、キャンペーンに応募すると、応募したキャンペーンについて応募済データを作成し、これを記憶するとともに、今回の応募に使用した応募券データを削除する。さらに、応募サイト１は、所定の期間内に受け付けたキャンペーンの応募について抽選を行う。
【００４５】
それでは、最初に、顧客が店舗で商品を購入するときにおける、ＰＯＳ端末装置２と顧客が所有する携帯電話３の動作について詳細に説明する。図６は、ＰＯＳ端末装置における取引処理時の動作を示すフローチャートである。顧客は、購入する商品を持ってＰＯＳ端末装置２が設置されているレジに行く。レジのオペレータは、顧客がレジに持ってきた商品毎に、その商品に付されているバーコードをバーコードリーダで読み取り、ＰＯＳ端末装置２に登録する。
【００４６】
ＰＯＳ端末装置２は、バーコードリーダ２２で商品に付されているバーコード（この商品の識別コード）を読み取ると（ｓ１）、読み取った識別コードを通信部２３からセンタ装置に送信する（ｓ２）。センタ装置は、ＰＯＳ端末装置２から商品の識別コードが送信されてくると、ＰＬＵファイルを検索して該当する商品の名称、および価格をＰＯＳ端末装置２に返信するとともに、キャンペーンファイルを検索して今回識別コードが送信されてきた商品がキャンペーンの対象商品であるかどうかを判断し、キャンペーンの対象商品であれば、この商品の応募券データもＰＯＳ端末装置２に返信する。
【００４７】
ＰＯＳ端末装置２は、センタ装置から送信されてきた商品名、および価格に基づいて商品を登録する商品登録処理を行う（ｓ３）。また、ｓ３で登録した商品について、センタ装置から応募券データが送信されてきていれば、この応募券データに対して店舗通番を採番し（ｓ４、ｓ５）、さらにサイトアドレス、キャンペーン名、応募数を除く、有効期限、バーコードデータ、業態コード、企業コード、店舗コード、キャンペーンコード、およびｓ５で採番した店舗通番を暗号化する応募券データ暗号化処理を行う（ｓ６）。オペレータは、顧客がレジに持ってきた商品を全て登録すると、ＰＯＳ端末装置２に登録完了を入力する。ＰＯＳ端末装置２は、取引する全ての商品の登録が完了するまで、言い換えればオペレータにより登録完了が入力されるまで、上記ｓ１〜ｓ６の処理を繰り返す。ＰＯＳ端末装置２は、登録完了が入力されると（ｓ７）、ｓ６で暗号化した応募券データの総数をカウントする（ｓ８）。
【００４８】
オペレータは、ＰＯＳ端末装置２に登録完了を入力すると、顧客に対して取引金額の精算を要求するとともに、所有している携帯電話３をＰＯＳ端末装置２の近距離無線通信部２４の通信エリア内に位置させるように依頼する。オペレータは、顧客から取引金額の精算に用いる現金、またはクレジットカード等を預かり、且つ顧客が所有する携帯電話３をＰＯＳ端末装置２の近距離無線通信部２４の通信エリア内に置くと、ＰＯＳ端末装置２の精算キーを操作する。
【００４９】
ＰＯＳ端末装置２は、精算キーが操作されると（ｓ９）、精算処理を開始する（ｓ１０）。この精算処理は、取引内容を印字したレシートの発行等を行う公知の処理である。このとき、オペレータは顧客に対して釣り銭や、預かったクレジットカード等を返却する。また、ＰＯＳ端末装置２は、ｓ１０で精算処理を開始すると、携帯電話３への応募券データの送信処理を開始する（ｓ１１）。ＰＯＳ端末装置２は、ｓ１０で開始した精算処理、およびｓ１１で開始した応募券データの送信処理の両処理が完了すると（ｓ１２）、本処理を終了する。
【００５０】
ここで、ｓ１１でＰＯＳ端末装置２が開始する応募券データの送信処理について説明する。図７はＰＯＳ端末装置における応募券データ送信処理を示すフローチャートであり、図８は携帯電話における応募券データの受信処理を示すフローチャートである。ＰＯＳ端末装置２は、顧客の携帯電話３に対して近距離無線通信部２４からキャンペーン応募処理プログラムの起動要求を送信し（ｓ２１）、携帯電話３からキャンペーン応募処理プログラムの起動完了が送信されてくるのを待つ（ｓ２２）。
【００５１】
携帯電話３は、ＰＯＳ端末装置２から送信されてきたキャンペーン応募処理プログラムの起動要求を近距離無線通信部３３で受信すると（ｓ３１）、予めインストールされているキャンペーン応募処理プログラムを起動し（ｓ３２）、起動完了後に近距離無線通信部３３からＰＯＳ端末装置２へ起動完了を送信する（ｓ３３）。
【００５２】
ＰＯＳ端末装置２は、近距離無線通信部２４で携帯電話３から送信されてきたキャンペーン応募処理プログラムの起動完了を受信すると、ｓ６で一部を暗号化した応募券データを１つずつ近距離無線通信部２４から送信する（ｓ２３、ｓ２４）。ＰＯＳ端末装置２は、携帯端末３へ送信した応募券データの個数をカウントしており、このカウント値がｓ８でカウントした暗号化した応募券データの総数に達すると、応募券データの送信が完了したと判定する。
【００５３】
携帯電話３は、ＰＯＳ端末装置２から送信されてきた、一部が暗号化された応募券データを近距離無線通信部３３で受信する毎に（ｓ３４）、受信した応募券データをキャンペーンデータ記憶部３６に記憶する（ｓ３５）。ＰＯＳ端末装置２は、ｓ２４で応募券データの送信が完了したと判定すると、近距離無線通信部２４から完了通知を送信し（ｓ２５）、本処理を終了する。携帯電話３は、近距離無線通信部３３でＰＯＳ端末装置２からの完了通知を受信すると（ｓ３６）、本処理を終了する。
【００５４】
このように、顧客が店舗でキャンペーンの対象商品を購入すると、購入したキャンペーン対象商品の応募券データが顧客の所有している携帯電話３に自動的に記憶される。言い換えれば、顧客は何ら特別な操作を行うことなく、応募券データを携帯電話３に記憶させることができる。また、レジのオペレータは、ＰＯＳ端末装置２に商品を登録するときに、その商品がキャンペーンの対象商品であるかどうかを気にする必要がない。したがって、商品の登録にかかるオペレータの作業負担を増加させることもない。
【００５５】
次に、携帯電話３が所定のタイミングでキャンペーンデータ記憶部３６に記憶している応募券データを検索し、応募可能なキャンペーンがあるかどうかを判定する応募可否判定処理について説明する。この応募可否判定処理を実行する所定のタイミングは、ここでは上記ｓ３６でＰＯＳ端末装置２からの完了通知を受信し、応募券データの受信処理を終了したタイミングとして説明するが、携帯電話３に対して特定の操作が行われたときや、予め定められた時刻、例えば午後１２時００分、であってもよいし、その他のタイミングであってもよい。
【００５６】
なお、応募数で規定される応募に必要な個数の応募券データをキャンペーンデータ記憶部３６に記憶していれば、この応募券データのキャンペーンについて応募条件を満足し、応募可能であると判定する。
【００５７】
図９は、携帯電話における応募可否判定処理を示すフローチャートである。携帯電話３は、今回受信した種類の応募券データ毎に、キャンペーンデータ記憶部３６に記憶している応募券データの個数をカウントする（ｓ４１、ｓ４２）。携帯電話３は、今回受信した種類の応募券データの中に、応募条件を満足し、応募可能である応募券データを全て抽出する（ｓ４３）。携帯電話３は、ｓ４３で抽出した応募券データがあるかどうかを判定し（ｓ４４）、無ければ、言い換えれば今回受信した種類の応募券データの中に応募可能である応募券データが無ければ、本処理を終了する。一方、ｓ４３で抽出した応募券データがあれば、応募可能なキャンペーンがあることを、携帯電話３の所有者である顧客に通知する報知処理を行う（ｓ４５）。この報知処理は、例えば携帯電話３本体をバイブ機能で振動させたり、メロディ機能で音楽を鳴らす処理である。また、携帯電話３は、ｓ４３で抽出した応募条件を満足する応募券データのキャンペーンを、図１０に示すように表示部３５に表示する表示処理を行う（ｓ４６）。したがって、顧客は表示部３５の表示を見ることで、どのキャンペーンに応募できるのか確認できる。しかも、この応募可否判定処理を、ＰＯＳ端末装置２からの完了通知を受信したタイミングで行っているので、今回の取引で応募可能になったキャンペーンを速やかに顧客に知らせることができる。
【００５８】
携帯電話３は、ｓ４６で応募可能なキャンペーンを表示部３５に表示すると、いずれかのキャンペーンに対して応募を行う旨の入力操作が行われるか（ｓ４７）、またはいずれのキャンペーンについても応募を行わない旨の入力操作が行われるの待つ（ｓ４８）。
【００５９】
携帯電話３の所有者である顧客は、表示部３５に表示されている応募可能なキャンペーンの中で、応募したいキャンペーンがあれば、そのキャンペーンを選択し、そのキャンペーンに対して応募を行う旨の入力操を行う。一方、応募したいキャンペーンがなければ、いずれのキャンペーンについても応募を行わない旨の入力操作を行う。携帯電話３は、いずれのキャンペーンについても応募を行わない旨の入力操作が行われると、本処理を終了する。携帯電話３は、いずれかのキャンペーンに対して応募を行う旨の入力操作が行われると、そのキャンペーンに応募する応募処理を行う（ｓ４９）。
【００６０】
なお、上記説明では、ＰＯＳ端末装置２からの完了通知を受信したタイミングで応募可否判定処理を行うとしたので、今回の受信した種類の応募券データについてのみ、応募可能であるかどうかを判定したが、応募可否判定処理を行うタイミングを携帯電話３に対して特定の操作が行われたときや、予め定められた時刻に行う場合には、キャンペーンデータ記憶部３６に記憶している全ての種類の応募券データについて応募可能であるかどうかを判定させればよい。
【００６１】
次に、ｓ４９で携帯電話が開始する応募処理について説明する。図１１は携帯電話における応募処理を示すフローチャートであり、図１２は応募サイトにおける応募受付処理を示すフローチャートである。携帯電話３は、選択されたキャンペーンの応募券データから、サイトアドレスを読み出す（ｓ５１）。このサイトアドレスは、選択されたキャンペーンの応募を受け付ける応募サイト１のネットワーク４上のアドレスである。携帯電話３は、通信部３２において携帯電話網、ネットワーク４を介して、ｓ４１で読み出したサイトアドレスの応募サイトにアクセスし（ｓ５２）、応募サイト１との通信路を確立する。携帯電話３は、応募サイト１との通信路を確立すると、予め記憶している個人情報を暗号化して応募サイト１に送信する（ｓ５３）。この個人情報は、携帯電話３の所有者の情報であり、住所、氏名、年齢、職業、電話番号、メールアドレス等を含んでいる（図１３参照）。また、個人情報を暗号化する鍵は予め携帯電話３に与えられており、応募サイト１は暗号化されている個人情報を復号するための鍵を有している。携帯電話３は、個人情報を応募サイト１に送信すると、キャンペーンデータ記憶部３６に記憶している選択されたキャンペーンの応募券データを応募サイト１に送信する（ｓ５４）。ｓ５４では、キャンペーンの応募に必要な個数だけ応募券データを送信する。携帯電話３は、応募券データの送信後、応募サイト１から応募不可、または応募内容が送信されてくるのを待つ（ｓ５５、、ｓ５６）。
【００６２】
応募サイト１は、携帯電話３から送信されてきた個人情報を復号するとともに（ｓ７１）、この携帯電話３から送信されてきた応募券データを復号する（ｓ７２）。応募サイト１は、ｓ７１で復号した個人情報と、ｓ７２で復号した応募券データとを用いて、今回の応募が適正であるかどうかを判定する（ｓ７３）。応募サイト１は、ｓ７３で今回の応募が適正でないと判定すると、携帯電話３に対して応募不可を送信し（ｓ７４）、本処理を終了する。携帯電話３は、応募サイト１から応募不可が送信されてくると、表示部３５に応募不可を表示し（ｓ５７）、本処理を終了する。
【００６３】
また、応募サイト１は、ｓ７３で今回の応募が適正であると判定すると、今回応募されたキャンペーンの内容を応募内容として携帯電話３に送信する（ｓ７５）。応募サイト１は、携帯電話３から応募の確定、または応募の取消が送信されてくるのを待つ（ｓ７６、ｓ７７）。携帯電話３は、応募サイト１から応募内容を受信すると、受信した応募内容を表示部３５に表示する（ｓ５８）。そして、携帯電話３は、応募の取消、または応募の確定が入力されるのを待つ（ｓ５９、ｓ６０）。携帯電話３の所有者である応募者は、この表示部３５に表示された応募内容を確認し、今回応募したキャンペーンが間違っていないかどうかを確認し、応募の取消、または応募の確定を携帯電話３に入力する。携帯電話３は、応募の取消が入力されると、応募サイト１に応募取消を送信し（ｓ６１）、本処理を終了する。一方、携帯電話３は応募の確定が入力されると、応募サイト１に応募の確定を送信する（ｓ６２）。携帯電話３は、応募の確定を送信すると、応募サイト１から応募を受け付けた旨の応答が送信されてくるのを待つ（ｓ６３）。
【００６４】
応募サイト１は、携帯電話３から応募の取消が送信されてくると、今回の応募の受付を中止し（ｓ７８）、本処理を終了する。一方、応募サイト１は、携帯電話３から応募の確定が送信されてくると、今回送信されてきた個人情報、および応募券データを対応づけて応募データ記憶部１３に記憶し、応募を受け付ける（ｓ７９）。そして、応募サイト１は携帯電話３に対して応募を受け付けた旨の応答を送信し（ｓ８０）、本処理を終了する。携帯電話３は、この応募サイト１から送信されてきた応募を受け付けた旨の応答を受信すると、応募サイト１において応募が受け付けられたことを表示部３５に表示し（ｓ６４）、携帯電話３の所有者である応募者に応募が受け付けられたことを通知する。また、携帯電話３は今回応募したキャンペーンの名称、応募日時（現在の日時）等を対応づけた応募済データを作成し（ｓ６５）、この応募済データをキャンペーンデータ記憶部３６に記憶する（ｓ６６）。さらに、携帯電話３は今回の応募で使用した応募券データをキャンペーンデータ記憶部３６から削除し（ｓ６７）、本処理を終了する。
【００６５】
このように、携帯電話３の所有者は、ｓ４６で応募可能なキャンペーンが表示部３５に表示されたとき、応募したいキャンペーンを選択し、応募を行う旨の入力操作を行うだけで、キャンペーンに応募できる。また、携帯電話３の所有者が応募を行う旨の入力を行わない限り、携帯電話３から応募サイト１にデータを送信することもなく、携帯電話３と応募サイト１との間で無駄なデータ通信が行われ、通信コストが嵩むという問題も生じない。
【００６６】
また、携帯電話３の所有者は、携帯電話３の操作部３４において、特定の入力操作を行うことにより、キャンペーンデータ記憶部３６に記憶している応募券データを確認することができる。携帯電話３は、この特定の入力操作が行われたときに、図１４に示す応募券データ確認処理を実行する。携帯電話３は、キャンペーンデータ記憶部３６に記憶している種類の応募券データ毎に、記憶している応募券データの個数をカウントし、応募条件を満足しているかどうかを判定する（ｓ９１〜ｓ９３）。携帯電話３は、キャンペーンデータ記憶部３６に記憶している全ての種類の応募券データのキャンペーンについて、応募条件を満足しているキャンペーン（応募可能であるキャンペーン）と、応募条件を満足していないキャンペーン（応募可能でないキャンペーン）と、を区別して表示部３５に表示する（ｓ９４）。例えば、携帯電話３は、図１５に示すように応募可能であるキャンペーンを反転表示し、応募可能でないキャンペーンを通常表示する。携帯電話３の所有者は、この表示から応募可能なキャンペーンを簡単に確認することができる。
【００６７】
携帯電話３は、表示部３５に表示しているいずれかのキャンペーンが選択されるか（ｓ９５）、または本処理の終了が入力されるのを待つ（ｓ９６）。携帯電話３は、本処理の終了が入力されると、本処理を終了する。一方、いずれかのキャンペーンが選択されると、選択されたキャンペーンが応募可能であるかどうかを判定する（ｓ９７）。携帯電話３は、応募可能であると判定すると、図１１に示した応募処理を実行する（ｓ９８）。また、携帯電話３は、ｓ９７で応募可能でないと判定すると、そのキャンペーンについて応募条件を満足するための条件を表示部３５に表示する（ｓ９９）。例えば、図１６に示すように、キャンペーンデータ記憶部３６に記憶している、そのキャンペーンの応募券データの個数と、そのキャンペーンに応募するのに必要な応募券データの個数を通知するメッセージを表示する。したがって、携帯電話３の所有者は、この表示から、選択したキャンペーンに応募するのに必要な条件を確認することができる。携帯電話３は、ｓ９８の応募処理、ｓ９９の表示処理を終えると、ｓ９５に戻って、上記処理を繰り返す。
【００６８】
また、携帯電話３は、キャンペーンデータ記憶部３５に記憶している応募済データを図１７に示すように表示部３５に表示させることもできる。したがって、携帯電話の所有者は、自分が応募したキャンペーンを簡単に確認することができる。
【００６９】
さらに、応募サイト１において、応募データ記憶部１３に記憶している応募データに対する抽選を行い、抽選結果を応募者の携帯電話３に電子メールで送信するようにしてもよい。このようにすれば、応募者に対して抽選結果を速やかに通知することができるとともに、抽選結果の通知にかかる手間も削減できる。
【００７０】
このように、この実施形態のキャンペーン応募処理システムでは、キャンペーンを実施するメーカにおいては、キャンペーンの対象商品に貼付する応募券や応募用紙の製造コスト、キャンペーンの対象商品に対する応募券の貼付作業、応募先に郵送されてきた応募用紙やハガキ等の仕分け作業、さらには当選者を抽選する抽選作業等にかかる人件費等が殆ど発生せず、キャンペーンの実施にかかる費用が大幅に低減される。また、応募サイト１に対して無駄な情報を送信したり、応募券データを携帯電話３に入力する手間もかからないので、応募する際の手間が十分に低減され、且つ通信コストの無駄も防止できる。
【００７１】
なお、上記実施形態における形態電話３は、ネットワーク４に接続することができるＰＤＡ等の携帯端末に置き換えてもよい。また、上記実施形態では。ＰＯＳ端末装置２から携帯電話３へ応募券データを送信するとしたが、応募券データに加えてレシートのデータを送付するようにしてもよい。
【図面の簡単な説明】
【００７２】
【図１】この発明の実施形態のキャンペーン応募処理システムの構成を示す図である。
【図２】応募サイトの構成を示す図である。
【図３】ＰＯＳ端末装置の構成を示す図である
【図４】携帯電話の構成を示す図である。
【図５】応募券データを示す図である。
【図６】ＰＯＳ端末装置の取引処理にかかる動作を示すフローチャートである。
【図７】ＰＯＳ端末装置の応募データ送信処理にかかる動作を示すフローチャートである。
【図８】携帯電話の応募データ受信処理にかかる動作を示すフローチャートである。
【図９】携帯電話の応募可否判定処理にかかる動作を示すフローチャートである。
【図１０】携帯電話の表示部の表示例を示す図である。
【図１１】携帯電話の応募処理にかかる動作を示すフローチャートである。
【図１２】応募サイトの応募受付処理にかかる動作を示すフローチャートである。
【図１３】携帯電話が応募サイトに送信する個人情報を示す図である。
【図１４】携帯電話の応募券データ確認処理にかかる動作を示すフローチャートである。
【図１５】携帯電話の表示部の表示例を示す図である。
【図１６】携帯電話の表示部の表示例を示す図である。
【図１７】携帯電話の表示部の表示例を示す図である。
【符号の説明】
【００７３】
１−応募サイト
２−ＰＯＳ端末装置
３−携帯電話
１１−制御部
１２−通信部
１３−応募データ記憶部
２１−制御部
２２−バーコードリーダ
２３−通信部
２４−近距離無線通信部
２５−操作部
２６−印字部
３１−制御部
３２−通信部
３３−近距離無線通信部
３４−操作部
３５−表示部
３６−キャンペーンデータ記憶部
【図１】
2005309620.tif 000003
【図２】
2005309620.tif 000004
【図３】
2005309620.tif 000005
【図４】
2005309620.tif 000006
【図５】
2005309620.tif 000007
【図６】
2005309620.tif 000008
【図７】
2005309620.tif 000009
【図８】
2005309620.tif 000010
【図９】
2005309620.tif 000011
【図１０】
2005309620.tif 000012
【図１１】
2005309620.tif 000013
【図１２】
2005309620.tif 000014
【図１３】
2005309620.tif 000015
【図１４】
2005309620.tif 000016
【図１５】
2005309620.tif 000017
【図１６】
2005309620.tif 000018
【図１７】
2005309620.tif 000019